(57)【要約】【課題】除去対象画像も読み取りが必要なときには、除去されないように読み取る。【解決手段】任意の色を除去する／しないの読み取りモード選択で、任意の色を除去しないを選択したときには、除去させない任意の色（青罫線）を選択する（Ｓ１０９）。除去させない任意の色（青罫線）が選択されると、制御回路内にあるメモリから、予めに蓄えられている青罫線を除去させないための設定である緑色ＬＥＤと赤色ＬＥＤを同時に点灯させ（Ｓ１１０，Ｓ１１１）、原稿の読み取り動作を開始させる（Ｓ１１２，Ｓ１１３，Ｓ１１４）。【選択図】図４
2007221253.tif 000002
【特許請求の範囲】
【請求項１】
複数の発光色の光源を発光して照射する照明手段と、前記照明手段によって照明される原稿からの反射光を受光し、光電変換する光電変換手段とを有する画像読み取り装置において、
任意の色を除去する／しないを選択する選択手段と、
除去しない任意の色を指定する指定手段と、
前記指定手段によって指定された色に応じて発光色を切り換えて光源を点灯させる制御手段と、
を備え、前記制御手段は複数の発光色を同時に点灯させ、光源の発光波長分布を変えることにより任意の色を読み取らせることを特徴とする画像読み取り装置。
【請求項２】
前記制御手段は、前記指定手段によって指定された色以外の複数の発光色を前記制御手段により同時に点灯させ、前記指定された色を読み取らせることを特徴とする請求項１記載の画像読み取り装置。
【請求項３】
複数の発光色の光源を発光して照射する照明手段と、前記照明手段によって照明される原稿からの反射光を受光し、光電変換する光電変換手段とを有する画像読み取り装置において、
任意の色を除去する／しないを選択する選択手段と、
除去しない任意の色を指定する指定手段と、
前記指定手段によって指定された色に応じて発光色を切り換えて光源を点灯させる制御手段と、
を備え、前記制御手段は、前記指定手段によって指定された任意の色の分光特性と異なる１つの発光色を点灯させ、前記任意の色を読み取らせることを特徴とする画像読み取り装置。
【請求項４】
前記各光源の光量を調整する光量調整手段を備えていることを特徴とする請求項１記載の画像読み取り装置。
【請求項５】
前記選択手段が操作部に設定されていることを特徴とする請求項１ないし４のいずれか１項に記載の画像読み取り装置。
【請求項６】
前記指定手段が操作部に設定されていることを特徴とする請求項１ないし４のいずれか１項に記載の画像読み取り装置。
【請求項７】
前記光量調整手段が操作部に設定されていることを特徴とする請求項４記載の画像読み取り装置。
【請求項８】
同時に点灯させる複数の発光色に緑色の波長成分をもつ光源が含まれていることを特徴とする請求項１ないし４のいずれか１項に記載の画像読み取り装置。
【請求項９】
請求項１ないし８のいずれか１項に記載の画像読み取り装置を備えていることを特徴とする画像形成装置。
【発明の詳細な説明】
【技術分野】
【０００１】
本発明は、任意の色を除去せず、原稿の画像を読み取る画像読み取り装置及びこの画像読み取り装置を備えた複写機、プリンタ、ファクシミリ及びデジタル複合機等の画像形成装置に関する。
【背景技術】
【０００２】
従来、入力の対象となる帳票等には、文字枠や記入項目を示す文字が予め印刷されており、記入者がこれに沿って文字を手書きで記入する原稿があった。この文字枠は、イメージセンサと照明光源で構成される光電系の分光特性から外れ、読取画像から脱落するような色（以下「ドロップアウトカラー」という）で印刷されることがある。これは、文字枠が文字認識の障害となるため、文字枠を読取画像から脱落させ、文字のみを読取画像として抽出するために行われる。実際には、広域の分光感度特性を有したイメージセンサと複数の単色照明光源とで光電系を構成し、単色照明光源を切り換えてドロップアウトカラーに対応するケースが多い。すなわち、赤色のドロップアウトカラーで文字枠が印刷された帳票の場合は画像読み取り装置の照明光源に赤色ＬＥＤを用い、青色のドロップアウトカラ−の帳票には青色ＬＥＤを用いる。
【０００３】
具体的には、例えば特許文献１には、光源部が、Ｒ色、Ｇ色、Ｂ色を発光するＬＥＤを備え、イメージセンサが、Ｒ色とＧ色を透過するＹフィルタ及びＲ色とＢ色を透過するＣフィルタを備え、操作部でドロップアウトカラーが指定されると、点灯順序指定部が発光色と発光順序を指定し、光源駆動部が当該指定に応じてＬＥＤを点灯駆動させ、イメージセンサが、ＬＥＤの点灯時には、ＹフィルタとＣフィルタ位置に対応する画素がＲ色のみを受光し、ＬＥＤの点灯時には、Ｙフィルタ位置に対応する画素がＧ色を受光し、Ｃフィルタ位置に対応する画素がＢ色を受光するようにした発明が開示されている。
【特許文献１】特開２００５−１５９７３４号公報
【発明の開示】
【発明が解決しようとする課題】
【０００４】
従来の画像読み取り装置では、帳票等の文字枠がドロップアウトカラーで印刷されている場合、読取画像から除去されてしまうため、帳票等の文字枠も読み取りたいという場合（ユーザ要望等）への対応が困難であった。
【０００５】
本発明は、このような従来技術の実情に鑑みてなされたもので、その目的は、除去対象画像も読み取りが必要なときには、除去されないようにすることにある。
【課題を解決するための手段】
【０００６】
前記目的を達成するため、第１の手段は、複数の発光色の光源を発光して照射する照明手段と、前記照明手段によって照明される原稿からの反射光を受光し、光電変換する光電変換手段とを有する画像読み取り装置において、任意の色を除去する／しないを選択する選択手段と、除去しない任意の色を指定する指定手段と、前記指定手段によって指定された色に応じて発光色を切り換えて光源を点灯させる制御手段とを備え、前記制御手段は複数の発光色を同時に点灯させ、光源の発光波長分布を変えることにより任意の色を読み取らせることを特徴とする。
【０００７】
第２の手段は、第１の手段において、前記制御手段が前記指定手段によって指定された色以外の複数の発光色を前記制御手段により同時に点灯させ、前記指定された色を読み取らせることを特徴とする。
【０００８】
第３の手段は、第１の手段と同様の前提の画像読み取り装置において、前記制御手段が前記指定手段によって指定された任意の色の分光特性と異なる１つの発光色を点灯させ、前記任意の色を読み取らせることを特徴とする。
【０００９】
第４の手段は、第１の手段において、前記各光源の光量を調整する光量調整手段を備えていることを特徴とする。
【００１０】
第５の手段は、第１ないし第４のいずれかの手段において、前記選択手段が操作部に設定されていることを特徴とする。
【００１１】
第６の手段は、第１ないし第４のいずれかの手段において、前記指定手段が操作部に設定されていることを特徴とする。
【００１２】
第７の手段は、第４の手段において、前記光量調整手段が操作部に設定されていることを特徴とする。
【００１３】
第８の手段は、第１ないし第４のいずれかの手段において、同時に点灯させる複数の発光色に緑色の波長成分をもつ光源が含まれていることを特徴とする。
【００１４】
第９の手段は、第１ないし第８のいずれかの手段に係る画像読み取り装置を画像形成装置が備えていることを特徴とする。
【００１５】
なお、後述の実施形態では、光源は符号２に、照明手段は一対の光源２に、光電変換手段はイメージセンサ７に、選択手段及び指定手段は色指定操作部１２ａに、制御手段は、制御回路１１に、光量調整手段は光量調整操作部１２ｂにそれぞれ対応する。
【発明の効果】
【００１６】
本発明によれば、複数の発光色を同時に点灯させ、任意の色を読み取らせるので、除去対象画像も読み取りが必要なときには、除去されないようにすることができる。
【発明を実施するための最良の形態】
【００１７】
以下、図面を参照し、本発明の実施形態について説明する。
【００１８】
図１は本発明の実施形態に係るシート原稿搬送式の画像読み取り装置の概略構成を示す図である。この画像読み取り装置は、図１に示すようにコンタクトガラス１を挟んで一対の光源２と基準白ローラ（原稿搬送ローラ）４とが配置され、一対の光源２の間にセルフォックレンズアレイ３が設けられ、イメージセンサ７に前記セルフォックレンズアレイ３の結像光が導かれる。基準白ローラ４のシート搬送方向上流側には原稿挿入搬送ローラ５と従動コロ８が設けられ、下流側には原稿搬出搬送ローラと従動コロ９が設けられている。読み取り対象となるシート原稿１０は、駆動手段（図示しない）により、図中の矢印方向に原稿挿入搬送ローラ５を回転させ、シート原稿１０を搬送させる。シート原稿１０は、搬送されながら光源２により照明され、その反射光をセルフォックレンズアレイ３によりイメージセンサ７に結像させ、読み取り画像信号を電気信号として取り出す。
【００１９】
光源２は、図２に示すように基板上に赤（Ｒ）、緑（Ｇ）、青（Ｂ）の発光をそれぞれ行う各ＬＥＤ２Ｒ，２Ｇ，２Ｂが一列に順次配列されたＬＥＤ列で構成されている。
【００２０】
図３は本実施形態に係る画像読み取り装置の制御構成の概略を示すブロック図である。同図において、画像形成装置の制御は制御回路１１、操作部１２、及びＡＦＥ（アナログフロントエンド）１３から構成されている。制御回路１１は光源２の点灯と電流を制御し、操作部１２は制御回路１１に対して操作入力を行う。ＡＦＥ１３はイメージセンサ７の出力を増幅し、デジタル変換して画像処理装置側に出力する。制御回路１１はメモリ１１ａ、各色ＬＥＤ毎に設けられた制御部１１Ｒ，１１Ｇ，１１Ｂを含み、各色後の制御部１１Ｒ，１１Ｇ，１１Ｂの制御出力が光源２の各色ＬＥＤ２Ｒ，２Ｇ，２Ｂに入力される。制御部１２では除去しない任意の指定する色指定操作部１２ａと、光源の光量を調整する光量調整を行う光量調整操作部１２ｂとからなる。これにより、操作部１２等のユーザインターフェースから、任意の色を除去する／しないの選択をすることができ、任意の色を除去しないを選択した場合には、除去しない任意の色の指定をすることができる。
【００２１】
色指定操作部１２ａから除去しない任意の色の選択が行われると、制御回路１１内にあるメモリ１１ａに、予め蓄えられていた各光源２Ｒ，２Ｇ，２Ｂの点灯制御情報と光量情報（電流設定）が読み出され、各光源２Ｒ，２Ｇ，２Ｂの点灯条件の設定を行う。また、各光源２Ｒ，２Ｇ，２Ｂはそれぞれ独立に点灯制御と電流制御ができるようになっている。
【００２２】
図４は青罫線を除去しないで読み取らせるときの制御回路の制御手順を示すフローチャートである。なお、この制御手順は、制御回路１１内の図示しないＣＰＵが図示しないＲＯＭに格納されたプログラムを図示しないＲＡＭをワークエリアとして使用しながら実行する。  
図４において画像読み取り装置のメインＳＷ（電源）をＯＮしたときに（ステップＳ１０１）、緑色ＬＥＤ２Ｇを点灯させ（ステップＳ１０２）、基準白ローラ４を読み取り（ステップＳ１０３）、出力値が予め設定された目標値になるようにＡＦＥ１３のＰＧＡ１３ａのゲインを設定し（ステップＳ１０３）、緑色ＬＥＤ２Ｇをオフする（ステップＳ１０４）。
【００２３】
任意の色を除去する／しないの読み取りモード選択で、任意の色を除去する（通常読み取りを行う）を色指定操作部１２ａで選択したときには（ステップＳ１０５）、再度緑色ＬＥＤを点灯させ（ステップＳ１０６）、原稿の読み取り動作を開始させる（ステップＳ１０７，Ｓ１０８）。任意の色を除去しないを選択したときには、除去させない任意の色（青罫線）を選択する（ステップＳ１０９）。除去させない任意の色（青罫線）が選択されると、制御回路１１内にあるメモリ１１ａから、予め蓄えられている青罫線を除去させないための設定、例えば緑色ＬＥＤと赤色ＬＥＤを同時に点灯させ、さらに電流設定し（ステップＳ１１０，Ｓ１１１）、原稿の読み取り動作を開始させる（ステップＳ１１２，Ｓ１１３，Ｓ１１４）。この各光源の設定は、メインＳＷ（電源）のＯＦＦ、操作部１２等のリセットや、任意の色を除去する／しないの選択等の条件が変わらないまで有効になっている。条件が変わったとき（通常コピー時）には、再度緑色ＬＥＤで初期設定を行う。
【００２４】
図５はユーザが任意の光源の光量を調整するときの制御手順を示すフローチャートである。  
画像読み取り装置のメインＳＷ（電源）をＯＮ時の初期設定は、図４で説明したものと同じである。ユーザが任意の光源２の光量を調整するときには、色指定操作部１２ａから除去させない任意の色を選択したときに、制御回路１１内にあるメモリ１１ａに予め蓄えられている設定になる。ここで、ユーザが光量調整操作部１２ｂ等のユーザインターフェースで、設定された光源の光量を調整することができる（例：弱くする１←２←３←４（デフォルト）→５→６→７強くする）。すなわち、緑色ＬＥＤ２Ｇ及び赤色ＬＥＤ２ＲのＯＮする際に、緑色ＬＥＤ２Ｇの光量を調整し（ステップＳ２０１）、赤色ＬＥＤ２Ｒの光量を調整する（ステップＳ２０２）。
【００２５】
１度光量を調整すると、緑色ＬＥＤ２Ｇ及び赤色ＬＥＤ２ＲをＯＮし（ステップＳ２０３，Ｓ２０４）、その状態で再度、基準白ローラ４を読み（ステップＳ２０５）、出力値が予め設定された目標値になるようにＡＦＥ（アナログフロントエンド）１３のＰＧＡ１３ａのゲインを設定し（ステップＳ２０６）、原稿の読み取り動作を開始する（ステップＳ１１２）。このときの光源の設定は、メインＳＷ（電源）のＯＦＦ、操作部１２等のリセットや、任意の色を除去する／しないの選択等の条件が変わらないまで有効になっている。また、設定をメモリ１１ａに蓄えることもできる。条件が変わったとき（通常コピー時）には、再度緑色ＬＥＤ２Ｇで初期設定を行う。
【００２６】
図６は任意の色を除去しないを選択し、複数の光源での読み取りを行わず、単一光源での読み取りを選択した場合の処理手順を示すフローチャートである。  
画像読み取り装置のメインＳＷ（電源）をＯＮ時の初期設定は、図４で説明したものと同じである。ステップＳ１０５で任意の色を除去させないを選択したときに、ユーザが読み取りを行う任意の単色光を選択することができ、選択すると（ステップＳ３０１，Ｓ３０２）、その状態で再度、基準白ローラ４を読み（ステップＳ３０３）、出力値が予め設定された目標値になるようにＡＦＥ（アナログフロントエンド）のＰＧＡのゲインを設定し（ステップＳ３０４）、読み取り動作を実行する（ステップＳ３０５，Ｓ３０５）。
【００２７】
このときの光源２の設定は、メインＳＷ（電源）のＯＦＦ、操作部１２等のリセットや、ステップＳ１０５における任意の色を除去する／しないの選択等の条件が変更されるまで有効になっている。また、設定をメモリ１１ａに蓄えることもできる。条件が変わったとき（通常コピー時）には、再度緑色ＬＥＤ２Ｇで初期設定を行う。
【００２８】
図７は前記実施形態に係る画像読み取り装置を備えた画像形成装置の概略構成を示す図である。この画像形成装置は、複写機能とこれ以外の機能、例えばプリンタ機能、ファクシミリ機能とを有するいわゆる複合機能を有する画像形成装置であり、操作部のアプリケーション切り換えキーにより複写機能、プリンタ機能、ファクシミリ機能を順次に切り換えて選択することが可能である。複写機能の選択時には複写モードとなり、プリンタ機能の選択時にはプリントモードとなり、ファクシミリモードの選択時にはファクシミリモードとなる。
【００２９】
まず、複写モードでは、次のように動作する。自動原稿送り装置（以下ＡＤＦという）１０１においては、原稿台１０２に原稿がその画像面を上にして置かれてなる原稿束は、操作部上のスタートキーが押下されると、一番下の原稿が給送ローラ１０３、給送ベルト１０４によってコンタクトガラスからなる原稿台１０５上の所定の位置に給送される。ＡＤＦ１０１は一枚の原稿の給送完了毎に原稿枚数をカウントアップするカウント機能を有する。コンタクトガラス１０５上の原稿は、画像入力手段としての画像読み取り装置１０６によって画像情報が読み取られた後に、給送ベルト１０４、排送ローラ１０７によって排紙台１０８上に排出される。
【００３０】
原稿セット検知器１０９によって原稿台１０２上に次の原稿があることが検知された場合には、同様に原稿台１０２上の一番下の原稿が給紙ローラ１０３、給送ベルト１０４によってコンタクトガラス１０５上の所定の位置に給送される。このコンタクトガラス１０５上の原稿は、画像読み取り装置１０６によって画像情報が読み取られた後に、給送ベルト１０４、排送ローラ１０７によって排紙台１０８上に排出される。ここに、給送ローラ１０３、給送ベルト１０４及び排送ローラ１０７は図示しない搬送モータによって駆動される。
【００３１】
画像読み取り装置１０６は光源１２８及び第１ミラー１２９を搭載し、副走査方向に移動走査する第１キャリッジと、第２及び第３ミラー１３０，１３１を搭載し、前記第１キャリッジの１／２の速度で副走査方向に移動走査する第２キャリッジと、第３ミラー１３１から導入された読み取り光を結像するレンズ１３２と、このレンズ１３２によって結像面に導かれた読取光を光電変換するＣＣＤなどの光電変換素子１３３とからなる。
【００３２】
給紙手段としての第１給紙装置１１０、第２給紙装置１１１、第３給紙装置１１２は、選択されたときに各々第１トレイ１１３、第２トレイ１１４、第３トレイ１１５に積載された転写材としてのシートを給送し、このシートは縦搬送ユニット１１６によって像担持体としての感光体１１７に当接する位置まで搬送される。感光体１１７は、例えば感光体ドラムが用いられ、図示しないメインモータにより一定速度で回転駆動される。
【００３３】
画像読み取り装置１０６によって原稿から読み込まれた画像データは図示しない画像処理手段を介して書き込み手段としての書き込みユニット１１８によって光情報に変換される。書き込みユニット１１８は変換された光情報をＬＤを発光源とする光偏向装置１３４と等角速度偏向から等速度偏向へと変換して主走査方向に光走査するｆθレンズ１３５と、図示しない帯電器により一様に帯電された感光体ドラム１１７表面に光ビームを走査するための折り返しミラー１３６とからなり、感光体ドラム１１７表面を光走査して光書き込みを実行し、静電潜像が形成される。この感光体ドラム１１７上の静電潜像は現像装置１１９により現像されてトナー像となる。
【００３４】
搬送ベルト１２０は、シート搬送手段及び転写手段を兼ねていて電源から転写バイアスが印加され、縦搬送ユニット１１６からのシートを感光体ドラム１１７と等速で搬送しながら感光体ドラム１１７上のトナー像をシートに転写させる。このシート表面のトナー像は、定着装置１２１により定着され、排紙ユニット１２２により排紙トレイ１２３に排出される。感光体ドラム１１７はトナー像転写後に図示しないクリーニング装置によりクリーニングされる。ここに、感光体ドラム１１７、帯電器、書き込みユニット１１８、現像装置１１９、転写手段は画像データにより画像をシート上に形成する画像形成手段を構成している。
【００３５】
プリントモードでは、前記画像処理手段からの画像データの代りに外部からの画像データが書き込みユニット１１８に入力されて上述の画像形成手段によりシート上に画像が形成される。さらに、ファクシミリモードでは、上記画像読み取り手段からの画像データが図示しないファクシミリ送受信部により相手に送信され、相手からの画像データがファクシミリ送受信部で受信されて上記画像処理手段からの画像データの代りに書き込みユニット１１８に入力されることにより、上述の画像形成手段によりシート上に画像が形成される。
【００３６】
以上のように本実施形態によれば、
１）複数の発光色を同時に点灯させ、光源の発光波長分布を変えることにより任意の色を読み取らせることができる。  
２）操作部等のユーザインターフェースから、任意の色を除去する／しないの選択、除去しない任意の色の指定をすることにより、ユーザが任意の色を除去する（通常の読み取り）と、任意の色を除去しないを使い分けられ、除去しない色も指定できることによりさまざまな使用状況に対応することができる。  
３）同時に点灯させる複数の発光色に緑色の波長成分をもつ光源が含まれているので、通常（デフォルト）の読み取りの出力に近い出力を得ることができる。
【００３７】
４）操作部等のユーザインターフェースから各光源の光量の調整することができるので、光源の発光波長強度の調整を行うことができ、対応できる濃度の範囲を広げることが可能となる。  
５）任意の色の分光特性と異なる１つの発光色を点灯させるので、確実に任意の色を読み取らせることができる。  
等の効果を奏する。
【図面の簡単な説明】
【００３８】
【図１】本発明の実施形態に係るシート原稿搬送式の画像読み取り装置の概略構成を示す図である。
【図２】本発明の実施形態に係る光源としてのＬＥＤ列の状態を示す図である。
【図３】本発明の実施形態に係る制御構成を示すブロック図である。
【図４】青罫線を除去しないで読み取らせるときの制御手順を示すフローチャートである。
【図５】ユーザが任意の光源の光量を調整するときの制御手順を示すフローチャートである。
【図６】任意の色を除去しないを選択し、複数の光源での読み取りを行わず、単一光源での読み取りを選択した場合の処理手順を示すフローチャートである。
【図７】本発明の実施形態に係る画像読み取り装置を備えた画像形成装置の概略構成を示す図である。
【符号の説明】
【００３９】
２  光源
４  基準白ローラ
５  原稿搬入搬送ローラ
６  原稿排出搬送ローラ
７  イメージセンサ
１１  制御回路
１１ａ  メモリ
１１Ｒ，１１Ｇ，１１Ｂ  ＬＥＤの点灯制御及び電流制御部
１２  操作部
１２ａ  色指定操作部
１２ｂ  光量調整操作部
【図１】
2007221253.tif 000003
【図２】
2007221253.tif 000004
【図３】
2007221253.tif 000005
【図４】
2007221253.tif 000006
【図５】
2007221253.tif 000007
【図６】
2007221253.tif 000008
【図７】
2007221253.tif 000009